(57)【要約】【課題】ワイヤレスＸ線検出方式のＸ線画像診断装置における画像データと付帯情報との不一致を防止する【解決手段】無線通信回線１を介して診断装置本体２と接続されたワイヤレスＸ線検出装置３は、診断装置本体２のＸ線発生部２１によって放射され被検体１５０を透過したＸ線を検出するＸ線検出部３１と、検出された前記Ｘ線に基づいて画像データを生成する画像データ生成部３２と、被検体１５０の被検体情報あるいはＸ線検査の検査情報の少なくとも何れかを付帯情報として前記画像データに付加することにより画像情報を生成するデータ合成部３５と、前記画像情報を、無線通信回線１を介して診断装置本体２へ送信する画像情報送信部３７を備える。【選択図】  図１
2014207942.tif 000002
【特許請求の範囲】
【請求項１】
無線通信回線を介して診断装置本体と接続されたワイヤレスＸ線検出装置であって、
前記診断装置本体のＸ線発生手段によって放射され被検体を透過したＸ線を検出するＸ線検出手段と、
検出された前記Ｘ線に基づいて画像データを生成する画像データ生成手段と、
前記被検体の被検体情報あるいはＸ線検査の検査情報の少なくとも何れかを付帯情報として前記画像データに付加することにより画像情報を生成するデータ合成手段と、
前記画像情報を、前記無線通信回線を介して前記診断装置本体へ送信する画像情報送信手段とを
備えたことを特徴とするワイヤレスＸ線検出装置。
【請求項２】
被検体情報入力手段を備え、前記データ合成手段は、前記被検体情報入力手段によって入力された前記被検体の被検体名、被検体ＩＤ、生年月日、年齢、性別、身長、体重、既往歴の少なくとも何れかを前記付帯情報として前記画像データに付加することを特徴とする請求項１記載のワイヤレスＸ線検出装置。
【請求項３】
前記被検体情報入力手段は、前記被検体のＩＣカードに予め登録された前記付帯情報を読み出すカードリーダを備えていることを特徴とする請求項２記載のワイヤレスＸ線検出装置。
【請求項４】
前記被検体情報入力手段は、前記被検体のリストバンドに予め登録された前記付帯情報としてのバーコードを読み出すバーコードリーダを備えていることを特徴とする請求項２記載のワイヤレスＸ線検出装置。
【請求項５】
検査情報入力手段を備え、前記データ合成手段は、前記検査情報入力手段から読み出した前記Ｘ線検査における検査年月日、検査部位、撮影モダリティ、撮影時の体位、撮影方向、造影剤の有無、撮影方式の少なくとも何れかを前記付帯情報として前記画像データに付加することを特徴とする請求項１記載のワイヤレスＸ線検出装置。
【請求項６】
付帯情報表示手段を備え、前記付帯情報表示手段は、前記被検体情報入力手段によって入力された前記付帯情報あるいは前記検査情報入力手段によって入力された前記付帯情報の少なくとも何れかを表示することを特徴とする請求項２又は請求項５に記載したワイヤレスＸ線検出装置。
【請求項７】
前記画像情報送信手段は、前記画像情報を、前記無線通信回線を介して接続された外部の画像情報表示装置あるいは画像情報保管装置へ送信することを特徴とするワイヤレスＸ線検出装置。
【請求項８】
無線通信回線を介して接続された診断装置本体とワイヤレスＸ線検出装置を備えるＸ線画像診断装置において、
前記診断装置本体は、
被検体に対してＸ線を照射するＸ線発生手段と、
前記ワイヤレスＸ線検出装置から前記無線通信回線を介して供給された画像情報を受信する画像情報受信手段と、
この画像情報受信手段によって受信された前記画像情報を表示する画像情報表示手段とを有し、
前記ワイヤレスＸ線検出装置は、
前記診断装置本体の前記Ｘ線発生手段によって放射され前記被検体を透過したＸ線を検出するＸ線検出手段と、
検出された前記Ｘ線に基づいて画像データを生成する画像データ生成手段と、
前記被検体の被検体情報あるいはＸ線検査の検査情報の少なくとも何れかを前記画像データに付加することにより前記画像情報を生成するデータ合成手段と、
前記画像情報を、前記無線通信回線を介して前記診断装置本体へ送信する画像情報送信手段とを
有することを特徴とするＸ線画像診断装置。
【請求項９】
前記診断装置本体は、前記画像データの各種付帯情報を入力する入力手段を備え、前記画像情報表示手段は、前記入力手段によって入力された前記各種付帯情報の中から選択した前記被検体情報あるいは前記検査情報に対応する付帯情報を前記画像情報に付加して表示することを特徴とする請求項８記載のＸ線画像診断装置。
【請求項１０】
無線通信回線を介して診断装置本体と接続されたワイヤレスＸ線検出装置に対し、
前記診断装置本体のＸ線発生手段によって放射され被検体を透過したＸ線を検出するＸ線検出機能と、
検出された前記Ｘ線に基づいて画像データを生成する画像データ生成機能と、
前記被検体の被検体情報あるいはＸ線検査の検査情報の少なくとも何れかを付帯情報として前記画像データに付加することにより画像情報を生成するデータ合成機能と、
前記画像情報を、前記無線通信回線を介して前記診断装置本体へ送信する画像情報送信機能を
実行させることを特徴とする制御プログラム。
【発明の詳細な説明】
【技術分野】
【０００１】
本発明の実施形態は、無線通信回線を介して診断装置本体と接続され画像データの生成と診断装置本体に対する送信を行なうワイヤレスＸ線検出装置、このワイヤレスＸ線検出装置を備えたＸ線画像診断装置及び制御プログラムに関する。
【背景技術】
【０００２】
Ｘ線画像診断装置やＸ線ＣＴ装置等を用いた医用画像診断は、コンピュータ技術の発展に伴って急速な進歩を遂げ、今日の医療において必要不可欠なものとなっている。特に、カテーテル手技の発展に伴って進歩を遂げている循環器領域のＸ線画像診断は、心血管系をはじめ全身の動静脈を対象としており、通常、造影剤が投与された血管領域のＸ線撮影により収集された画像データの観察によって行なわれる。
【０００３】
例えば、循環器領域の診断を目的としたＸ線画像診断装置は、Ｘ線発生部及びＸ線検出部（以下では、これらを纏めて撮像系と呼ぶ。）、撮像系を保持するＣアーム等の保持部、被検体を載置する天板等を備え、上述の天板や保持部に取り付けられた撮像系を所望の方向へ移動させることにより当該被検体の撮影領域に対し最適な方向からのＸ線撮影を可能にしている。
【０００４】
一方、近年では、Ｘ線照射により被検体を透過したＸ線を検出する機能及び検出されたＸ線に基づいて画像データを生成する機能を有したワイヤレスＸ線検出装置と、無線通信回線を介して上述のワイヤレスＸ線検出装置と接続され、被検体に対してＸ線を照射する機能及びワイヤレスＸ線検出装置から供給された上述の画像データを表示する機能を有した診断装置本体とを備えるＸ線画像診断装置が実用化されている。  このようなワイヤレスＸ線検出装置を有するＸ線画像診断装置では、複数からなる診断装置本体の各々に対し共通のワイヤレスＸ線検出装置を順次装着して用いることにより、ワイヤレスＸ線検出装置の有効活用が可能となりＸ線検査に要する費用を低減することが可能となる。
【先行技術文献】
【特許文献】
【０００５】
【特許文献１】特開２００１−２２４５７９号公報
【発明の概要】
【発明が解決しようとする課題】
【０００６】
上述のＸ線画像診断装置における画像データの生成はワイヤレスＸ線検出装置にて行なわれ、画像データが収集される被検体の情報（被検体情報）や当該Ｘ線検査に関する情報（検査情報）等は、通常、画像データの付帯情報として診断装置本体において入力あるいは発生される。
【０００７】
そして、共通のワイヤレスＸ線検出装置を複数からなる診断装置本体の各々に順次装着して用いる場合、ワイヤレスＸ線検出装置と診断装置本体との間には物理的な結合が存在しないため、無線通信等に起因する画像データと付帯情報との誤った結合が高い頻度で発生し、このような場合には、検査効率が著しく低下するのみならず誤診を引き起こす可能性を有していた。
【０００８】
本開示は、このような従来の問題点に鑑みてなされたものであり、その目的は、ワイヤレス方式のＸ線検出装置を用いて画像データの生成を行なう際、得られた画像データに被検体情報や検査情報等の付帯情報を付加してＸ線検出装置から出力することにより、画像データと付帯情報との不一致に起因する診断上のトラブルを排除することが可能なＸ線画像診断装置、ワイヤレスＸ線検出装置及び制御プログラムを提供することにある。
【課題を解決するための手段】
【０００９】
上記課題を解決するために、本開示のワイヤレスＸ線検出装置は、無線通信回線を介して診断装置本体と接続されたワイヤレスＸ線検出装置であって、前記診断装置本体のＸ線発生手段によって放射され被検体を透過したＸ線を検出するＸ線検出手段と、検出された前記Ｘ線に基づいて画像データを生成する画像データ生成手段と、前記被検体の被検体情報あるいはＸ線検査の検査情報の少なくとも何れかを付帯情報として前記画像データに付加することにより画像情報を生成するデータ合成手段と、前記画像情報を、前記無線通信回線を介して前記診断装置本体へ送信する画像情報送信手段とを備えたことを特徴としている。
【図面の簡単な説明】
【００１０】
【図１】本開示の実施形態におけるＸ線画像診断装置の全体構成を示すブロック図。
【図２】本実施形態のＸ線画像診断装置が備えるＸ線検出部及び画像データ生成部の具体的な構成を示すブロック図。
【図３】本実施形態のＸ線検出部が備える平面検出器を説明するための図。
【図４】本実施形態における画像情報の表示手順を示すフローチャート。
【発明を実施するための形態】
【００１１】
以下、図面を参照して本開示の実施形態を説明する。
【００１２】
（実施形態）
（装置の構成）
本実施形態におけるＸ線画像診断装置の構成と機能につき図１のブロック図を用いて説明する。尚、以下では、循環器領域のＸ線検査に用いるＸ線画像診断装置について述べるが、これに限定されるものではなく、腹部領域等の他の領域のＸ線検査を目的としたＸ線画像診断装置であっても構わない。
【００１３】
図１に示すＸ線画像診断装置１００は、当該Ｘ線検査の被検体１５０に対してＸ線を照射する機能と、被検体１５０を載置した天板２５を移動する機能と、後述のワイヤレスＸ線検出装置３から供給される画像データとその付帯情報を表示する機能を有した診断装置本体２と、無線通信回線１を介して上述の診断装置本体２と接続され、被検体１５０を透過したＸ線を検出することにより画像データを生成する機能と、この画像データに被検体情報や検査情報等の付帯情報（以下、第２の付帯情報と呼ぶ。）を付加して画像情報を生成する機能を有したワイヤレスＸ線検出装置３を備えている。  そして、診断装置本体２は、天板２５に載置された被検体１５０の撮影領域に対してＸ線を照射するＸ線発生部２１と、Ｘ線発生部２１に対して高電圧を供給する高電圧発生部２２と、ワイヤレスＸ線検出装置３から無線通信回線１を介して供給される画像データ及びこの画像データに付加された第２の付帯情報（以下では、これらを纏めて画像情報と呼ぶ。）を受信する画像情報受信部２３と、得られた画像情報を表示する画像情報表示部２４と、Ｘ線発生部２１及びワイヤレスＸ線検出装置３を保持する図示しない保持部と、被検体１５０を載置した天板２５や上述の保持部を所定の方向／位置へ移動する移動機構部２６と、Ｘ線照射条件の設定、各種被検体情報及び各種検査情報（以下、第１の付帯情報と呼ぶ。）の入力、各種指示信号の入力等を行なう入力部２７と、診断装置本体２が備える上述のユニットを統括的に制御するシステム制御部２８を備えている。
【００１４】
Ｘ線発生部２１は、被検体１５０の撮影領域に対してＸ線を照射するＸ線管２１１と、Ｘ線管２１１から放射されたＸ線に対してＸ線錘（コーンビーム）を形成するＸ線絞り器２１２を備えている。Ｘ線管２１１は、Ｘ線を発生する真空管であり、加熱された陰極（フィラメント）から生ずる熱電子を高電圧発生部２２から供給される直流高電圧により加速させてタングステン陽極に衝突させＸ線を発生させる。一方、Ｘ線絞り器２１２は、被検体１５０に対する被曝線量の低減と画像データの画質向上を目的として用いられ、Ｘ線管２１１から放射されたＸ線を所定の撮影領域に絞りこむ絞り羽根（上羽根）、絞り羽根に連動して移動することにより散乱線や漏れ線量を低減する下羽根、吸収量が少ない媒質を透過するＸ線を選択的に低減させてハレーションを防止する補償フィルタ（何れも図示せず）等を有している。
【００１５】
高電圧発生部２２は、Ｘ線管２１１の陰極から発生する熱電子を加速するために陽極と陰極の間に印加する高電圧を発生する高電圧発生器２２２と、システム制御部２８から供給されるＸ線照射条件に基づいて高電圧発生器２２２における管電流、管電圧、印加時間、印加タイミング、印加繰り返し周期等を制御するＸ線制御部２２１を備えている。このＸ線制御部２２１により所定の照射エネルギーを有したＸ線がＸ線管２１１から被検体１５０に向けて放射される。
【００１６】
画像情報表示部２４は、図示しない表示データ生成部、データ変換部及びモニタを備え、表示データ生成部は、ワイヤレスＸ線検出装置３において生成され、無線通信回線１及び画像情報受信部２３を介して供給された画像情報（第２の付帯情報が付加された画像データ）にシステム制御部２８から供給された第１の付帯情報を付加することにより表示データを生成する。次いで、データ変換部は、上述の表示データ生成部が生成した表示データに対してＤ／Ａ変換やテレビフォーマット変換等の変換処理を行ないモニタに表示する。
【００１７】
移動機構部２６は、Ｘ線発生部２１及びワイヤレスＸ線検出装置３が取り付けられた図示しない保持部を被検体１５０の周囲で回動あるいは移動させる保持部移動機構と、天板２５を被検体１５０の体軸方向（図１のｚ方向）及び体軸と直交する方向（図１のｘ方向及びｙ方向）へ移動させる天板移動機構と、保持部移動機構及び天板移動機構を制御する移動機構制御部（何れも図示せず）を備えている。
【００１８】
移動機構制御部は、入力部２７からシステム制御部２８を介して供給される撮像系移動指示信号に基づいて生成した移動制御信号を保持部移動機構へ供給し、撮像系（Ｘ線発生部２１及びワイヤレスＸ線検出装置３）が取り付けられた保持部を被検体１５０の周囲で回動あるいは移動させることによりＸ線撮影の撮影位置や撮影方向を設定する。
【００１９】
同様にして、移動機構制御部は、入力部２７からシステム制御部２８を介して供給される天板移動指示信号に基づいて生成した移動制御信号を天板移動機構へ供給し、天板２５を被検体１５０の体軸方向あるいは体軸と直交する方向へ平行移動させることにより撮影領域の中心を設定する。
【００２０】
入力部２７は、表示パネルやキーボード、トラックボール、ジョイスティック、マウスなどの入力デバイスを備えたインタラクティブなインターフェースであり、Ｘ線照射条件を含むＸ線撮影条件の設定、第１の付帯情報（即ち、被検体１５０に関する各種被検体情報（例えば、被検体名、被検体ＩＤ、生年月日、年齢、性別、身長、体重、既往歴等）や当該Ｘ線検査における各種検査情報（例えば、検査年月日、検査部位、撮影モダリティ、撮影時の体位、撮影方向、造影剤の有無、撮影方式等）の入力、各種指示信号の入力等が上述の表示パネルや入力デバイスを用いて行なわれる。
【００２１】
システム制御部２８は、図示しないＣＰＵと入力情報記憶部を備え、入力部２７において入力あるいは設定された上述の各種情報は入力情報記憶部に保存される。そして、ＣＰＵは、これらの情報に基づいて診断装置本体２が備える上述の各ユニットを統括的に制御し、被検体１５０の撮影領域に対するＸ線照射とワイヤレスＸ線検出装置３から供給される画像情報の表示を実行させる。
【００２２】
特に、画像データに付加された第２の付帯情報がワイヤレスＸ線検出装置３から供給された場合、自己の入力情報記憶部に保存されている上述の第２の付帯情報に対応した第１の付帯情報を読み出し、画像情報表示部２４へ供給する機能を有している。
【００２３】
次に、Ｘ線画像診断装置１００のワイヤレスＸ線検出装置３は、図１に示すように被検体１５０を透過したＸ線を検出するＸ線検出部３１と、検出されたＸ線に基づいて画像データを生成する画像データ生成部３２と、被検体情報を入力する被検体情報入力部３３と、当該Ｘ線検査の検査情報を入力する検査情報入力部３４と、画像データ生成部３２から出力された画像データに上述の被検体情報や検査情報を付加して画像情報を生成するデータ合成部３５と、得られた画像情報を保存する画像情報記憶部３６と、画像情報記憶部３６に保存された画像情報を適時読み出し、無線通信回線１を介して診断装置本体２あるいは図示しない画像情報表示装置や画像データサーバ等の画像情報保管装置へ出力する画像情報送信部３７と、被検体情報入力部３３において入力された被検体情報及び検査情報入力部３４において入力された検査情報を表示する付帯情報表示部３８と、ワイヤレスＸ線検出装置３が備える上述の各ユニットを制御する制御部３９を備えている。
【００２４】
次に、ワイヤレスＸ線検出装置３が備えるＸ線検出部３１と画像データ生成部３２の具体的な構成と機能につき、図２及び図３を用いて説明する。
【００２５】
Ｘ線検出部３１は、図２に示すように被検体１５０を透過したＸ線を検出する平面検出器３１１と、検出されたＸ線を信号電荷として読み出すための駆動信号を平面検出器３１１へ供給するゲートドライバ３１２を有している。
【００２６】
平面検出器３１１は、微小な検出素子を列方向及びライン方向に２次元配列して構成され、検出素子の各々は、感知した入射Ｘ線量に応じて電荷を生成する光電膜と、この光電膜に発生した電荷を蓄積する電荷蓄積コンデンサと、電荷蓄積コンデンサに蓄積された電荷を所定のタイミングで読み出すＴＦＴ（薄膜トランジスタ）を備えている。以下では説明を簡単にするために、検出素子が列方向及びライン方向に２素子ずつ配列された平面検出器３１１について説明する。
【００２７】
図３に示した平面検出器３１１では、検出素子４１１−１１、４１１−１２、４１１−２１及び４１１−２２が有する光電膜４１２−１１、４１２−１２、４１２−２１及び４１２−２２の第１の端子と電荷蓄積コンデンサ４１３−１１、４１３−１２、４１３−２１及び４１３−２２の第１の端子とが接続され、その接続点はＴＦＴ４１４−１１、４１４−１２、４１４−２１及び４１４−２２のソース端子へ接続される。一方、光電膜４１２−１１、４１２−１２、４１２−２１及び４１２−２２の第２の端子は図示しないバイアス電源に接続され、電荷蓄積コンデンサ４１３−１１、４１３−１２、４１３−２１及び４１３−２２の第２の端子は接地される。
【００２８】
又、ライン方向（図３の水平方向）に配列されたＴＦＴ４１４−１１及びＴＦＴ４１４−２１のゲート端子はゲートドライバ３１２の出力端子４２−１に共通接続され、ＴＦＴ４１４−１２及びＴＦＴ４１４−２２のゲート端子はゲートドライバ３１２の出力端子４２−２に共通接続される。
【００２９】
一方、列方向（図３の垂直方向）に配列されたＴＦＴ４１４−１１及び４１４−１２のドレイン端子は信号出力線４１９−１に共通接続され、ＴＦＴ４１４−２１及び４１４−２２のドレイン端子は信号出力線４１９−２に共通接続される。そして、信号出力線４１９−１及び４１９−２は画像データ生成部３２の入力端子に接続されている。又、ゲートドライバ３１２は、Ｘ線照射によって検出素子（図３の４１１）の光電膜４１２で発生し電荷蓄積コンデンサ４１３にて蓄積された信号電荷を読み出すために、ＴＦＴ４１４のゲート端子に読み出し用の駆動パルスを供給する。
【００３０】
図２へ戻って、画像データ生成部３２は、平面検出器３１１から、例えば、ライン方向単位でパラレルに読み出された信号電荷を電圧に変換する電荷・電圧変換器３２１と、電荷・電圧変換器３２１の出力をデジタル信号（画像データのデータ要素）に変換するＡ／Ｄ変換器３２２と、Ａ／Ｄ変換された画像データのデータ要素を検出素子４１１の２次元配列に対応させて保存することにより画像データを生成するデータ記憶部３２３を備えている。
【００３１】
次に、図１に示した被検体情報入力部３３では、被検体１５０に関する各種被検体情報（例えば、被検体名、被検体ＩＤ、生年月日、年齢、性別、身長、体重、既往歴等）の中から選択された主要な被検体情報の入力が行なわれる。この場合、被検体情報入力部３３は、被検体１５０が所有するＩＣカードの内容を読み出すことが可能なカードリーダを備え、このＩＣカードに予め登録されている上述の被検体情報をカードリーダによって読み出してもよい。
【００３２】
一方、検査情報入力部３４では、当該Ｘ線検査における各種検査情報（例えば、検査年月日、検査部位、撮影モダリティ、撮影時の体位、撮影方向、造影剤の有無、撮影方式等）の中から選択された主要な検査情報の入力が行なわれる。
【００３３】
即ち、診断装置本体２の入力部２７において入力される各種被検体情報の一部が被検体情報入力部３３において入力され、同様にして、入力部２７において入力される各種検査情報の一部が検査情報入力部３４において入力される。
【００３４】
次に、データ合成部３５は、画像データ生成部３２から供給された被検体１５０の画像データに被検体情報入力部３３から供給された被検体情報及び検査情報入力部３４から供給された検査情報を付加して画像情報（即ち、第２の付帯情報が付加された画像データ）を生成し、得られた画像情報を画像情報記憶部３６に保存する。
【００３５】
そして、画像情報記憶部３６に保存された画像情報は、画像情報送信部３７及び無線通信回線１を介して診断装置本体２へ供給され、診断装置本体２が備える画像情報表示部２４に表示される。又、上述の画像情報を、無線通信回線１を介して外部施設に設置された画像データサーバや医用ワークステーション等の画像情報保管装置や画像データビューア等の画像情報表示装置へ供給することも可能である。
【００３６】
一方、付帯情報表示部３８は、図示しないデータ変換部とモニタを備え、被検体情報入力部３３から供給された被検体情報や検査情報入力部３４から供給された検査情報を所定の表示フォーマットに変換して自己のモニタに表示することにより画像データに付加される第２の付帯情報（上述の被検体情報及び検査情報）が正しいことを確認する。
【００３７】
制御部３９は、図示しないＣＰＵを備え、ワイヤレスＸ線検出装置３が有する上述の各ユニットを統括的に制御することにより被検体１５０を透過したＸ線に基づく画像データの生成とこの画像データに対する第２の付帯情報の付加を実行させる。
【００３８】
（画像情報の表示手順）
次に、本実施形態における画像情報の表示手順につき図４のフローチャートに沿って説明する。
【００３９】
画像データの生成に先立ち、Ｘ線画像診断装置１００を扱う医療従事者（以下、操作者と呼ぶ。）は、診断装置本体２の入力部２７においてＸ線照射条件等のＸ線撮影条件の設定、各種被検体情報（例えば、被検体名、被検体ＩＤ、生年月日、年齢、性別、身長、体重、既往歴等）の入力、各種検査情報（例えば、検査部位、撮影時の体位、撮影方向、造影剤の有無、撮影方式等）の入力等を行ない、これらの設定情報や入力情報をシステム制御部２８の入力情報記憶部に保存する。
【００４０】
次いで、操作者は、ワイヤレスＸ線検出装置３の被検体情報入力部３３に備えられたカードリーダに被検体１５０が持参したＩＣカードを挿入することにより上述の各種被検体情報の中から選択された主要な被検体情報を入力し、更に、上述の各種検査情報の中から選択した主要な検査情報を検査情報入力部３４において入力する。（図４のステップＳ１）。
【００４１】
診断装置本体２及びワイヤレスＸ線検出装置３に対する被検体情報及び検査情報の入力が終了したならば、付帯情報表示部３８は、被検体情報入力部３３から供給された被検体情報と検査情報入力部３４から供給された検査情報を所定の表示フォーマットで自己のモニタに表示する。そして、操作者は、付帯情報表示部３８に表示されたこれらの情報を観察することによりその内容が正しいことを確認する。（図４のステップＳ２）。
【００４２】
次いで、操作者は、入力部２７において撮像系移動指示信号及び天板移動指示信号を入力することによりＸ線発生部２１及びワイヤレスＸ線検出装置３の撮像系と天板２５を所望の方向へ移動させ、天板２５に載置された被検体１５０の撮影領域に対応する位置に撮像系を配置する（図４のステップＳ３）。
【００４３】
そして、撮像系及び天板２５の移動により被検体１５０に対する撮影位置及び撮影方向の設定が終了したならば、入力部２７において撮影開始指示信号が入力され、この指示信号がシステム制御部２８へ供給されることにより、被検体１５０の撮影領域に対するＸ線撮影が開始される（図４のステップＳ４）。
【００４４】
Ｘ線照射条件と上述の撮影開始指示信号をシステム制御部２８から受信した高電圧発生部２２のＸ線制御部２２１は、このＸ線照射条件に基づいて高電圧発生器２２２を制御しＸ線発生部２１のＸ線管２１１に高電圧を印加する。そして、高電圧が印加されたＸ線管２１１は、被検体１５０の撮影領域に対して所定の強度と照射時間を有したＸ線照射を行ない、前記撮影領域を透過したＸ線は、その後方に設けられたワイヤレスＸ線検出装置３のＸ線検出部３１が備える平面検出器３１１によって検出される。このとき、平面検出器３１１において２次元配列された検出素子４１１の光電膜４１２は撮影領域を透過したＸ線を受信し、その透過量に比例した信号電荷を電荷蓄積コンデンサ４１３に蓄積する（図４のステップＳ５）。
【００４５】
そして、被検体１５０に対するＸ線照射が終了したならばＸ線検出部３１のゲートドライバ３１２は、自己の図示しない駆動パルス発生器から出力された駆動パルスを平面検出器３１１のＴＦＴ４１４へ供給し、電荷蓄積コンデンサ４１３に蓄積されている上述の信号電荷を順次読み出す。
【００４６】
一方、画像データ生成部３２の電荷・電圧変換器３２１は、Ｘ線検出部３１の平面検出器３１１から供給された信号電荷を電圧変換し、Ａ／Ｄ変換器３２２は電荷・電圧変換器３２１の出力信号をアナログ／デジタル変換して画像データのデータ要素を生成する。そして、データ記憶部３２３は、Ａ／Ｄ変換器３２２から出力された画像データのデータ要素を検出素子４１１の２次元配列に対応させて保存することにより画像データを生成する（図４のステップＳ６）。
【００４７】
次いで、ワイヤレスＸ線検出装置３のデータ合成部３５は、画像データ生成部３２から供給された上述の画像データに被検体情報入力部３３から供給された被検体情報及び検査情報入力部３４から読み出した検査情報を付加することによって画像情報を生成し（図４のステップＳ７）、得られた画像情報を画像情報記憶部３６に保存する（図４のステップＳ８）。
【００４８】
一方、ワイヤレスＸ線検出装置３の画像情報送信部３７は、画像情報記憶部３６から読み出した被検体１５０の画像情報を、無線通信回線１を介して診断装置本体２へ供給し（図４のステップＳ９）、診断装置本体２の画像情報受信部２３は、ワイヤレスＸ線検出装置３から供給された上述の画像情報を画像情報表示部２４へ、又、この画像情報に含まれている第２の付帯情報をシステム制御部２８へ供給する。
【００４９】
次いで、システム制御部２８は、入力部２７から供給された付帯情報選択指示信号と画像情報受信部２３から供給された第２の付帯情報に基づき、自己の入力情報記憶回路に保管されていた各種付帯情報の中から上述の第２の付帯情報に対応する第１の付帯情報を抽出し画像情報表示部２４へ供給する。
【００５０】
そして、画像情報表示部２４は、画像情報受信部２３から供給された画像情報にシステム制御部２８から新たに供給された第１の付帯情報を追加して自己のモニタに表示する（図４のステップＳ１０）。
【００５１】
以上述べた本開示の実施形態によれば、ワイヤレス方式のＸ線検出装置（ワイヤレスＸ線検出装置）を用いて画像データの生成を行なう際、得られた画像データに被検体情報や検査情報等の付帯情報（第２の付帯情報）を付加してワイヤレスＸ線検出装置から出力することにより、共通のワイヤレスＸ線検出装置を複数の診断装置本体に順次装着して用いるような場合においても、画像データと付帯情報との不一致に起因する診断上のトラブルを排除することができる。
【００５２】
又、画像データに上述の付帯情報を付加してワイヤレスＸ線検出装置から出力された画像情報を、無線通信回線を介して外部の画像情報保管装置や画像情報表示装置等へ直接送信することにより、画像データの管理や読影を正確かつ効率よく行なうことが可能となる。
【００５３】
特に、画像データに上述の付帯情報を付加して生成した画像情報を、ワイヤレスＸ線検出装置が備える画像情報記憶部に保存することにより、得られた画像データ及びこの画像データの付帯情報を、画像データ表示機能を有した任意の装置に任意のタイミングで供給することができる。
【００５４】
又、診断装置本体において入力された第１の付帯情報の識別情報と、画像情報としてワイヤレスＸ線検出装置から画像データと共に供給された第２の付帯情報の識別情報を比較することにより上述の画像データに対応した第１の付帯情報を第２の付帯情報と共に表示することが可能となる。
【００５５】
更に、画像データに付加する被検体情報の入力は、ワイヤレスＸ線検出装置に備えられたカードリーダに被検体のＩＣカード等を挿入することにより容易に行なうことができ、又、上述の被検体情報や検査情報等の第２の付帯情報は、ワイヤレスＸ線検出装置が備える専用の表示部に予め表示されるため、画像データに付加される第２の付帯情報が適当か否かを容易に判定することが可能となる。
【００５６】
一方、複数の診断装置本体に対して共通使用が可能なワイヤレスＸ線検出装置に画像データと第２の付帯情報とを合成する機能をもたせることにより、診断装置本体における付帯情報の付加機能は必ずしも必要ではなくなり、従って、診断装置本体の構成を簡略化することができる。
【００５７】
以上、本開示の実施形態について述べてきたが、本開示は、上述の実施形態に限定されるものではなく変形して実施することが可能である。例えば、上述の実施形態では、ＩＣカードに予め登録された被検体１５０の被検体名、被検体ＩＤ、生年月日、年齢、性別、身長、体重、既往歴等をワイヤレスＸ線検出装置３に備えられたカードリーダを用いて読み出すことにより被検体情報の入力を行なう場合について述べたが、被検体情報の入力は、この方法に限定されるものではなく、例えば、被検体１５０のリストバンド等に刻まれたバーコードをワイヤレスＸ線検出装置３に備えられたバーコードリーダを用いて読み出すことにより被検体情報の入力を行なってもよい。
【００５８】
又、上述の被検体情報や検査年月日、検査部位、撮影モダリティ、撮影時の体位、撮影方向、造影剤の有無、撮影方式等の検査情報を第２の付帯情報として画像データに付加する場合について述べたが、画像データに付加する付帯情報は、被検体情報や検査情報に限定されるものではなく、例えば、Ｘ線照射条件をはじめとする各種の撮影条件や画像データ生成条件等を当該画像データの付帯情報としても構わない。
【００５９】
更に、上述の実施形態における診断装置本体２は、第２の付帯情報と共にワイヤレスＸ線検出装置３から無線通信回線を介して供給された画像データをそのまま画像情報表示部２４のモニタに表示する場合について述べたが、ワイヤレスＸ線検出装置３から供給される上述の画像データに対してフィルタリング処理等を行なう図示しない画像処理部を更に備え、画像処理によって更新された画像データを第１の付帯情報及び第２の付帯情報と共に画像情報表示部２４のモニタに表示してもよい。
【００６０】
一方、上述の実施形態では、被検体１５０に対してＸ線を照射する機能とワイヤレスＸ線検出装置３によって生成された画像データを第１の付帯情報及び第２の付帯情報と共に表示する機能を有した診断装置本体２について述べたが、これらの機能を独立したユニットや装置を用いて実行しても構わない。
【００６１】
又、画像データに第１の付帯情報及び第２の付帯情報を付加して表示する場合について述べたが、画像データに第２の付帯情報のみを付加して表示してもよい。
【００６２】
尚、本実施形態のＸ線画像診断装置１００に含まれる各ユニットは、例えば、ＣＰＵ、ＲＡＭ、磁気記憶装置、入力装置、表示装置等で構成されるコンピュータをハードウェアとして用いることでも実現することができる。例えば、Ｘ線画像診断装置１００の診断装置本体２が備えたシステム制御部２８やワイヤレスＸ線検出装置３が備えた制御部３９は、上記のコンピュータに搭載されたＣＰＵ等のプロセッサに所定の制御プログラムを実行させることにより各種機能を実現することができる。この場合、上述の制御プログラムをコンピュータに予めインストールしてもよく、又、コンピュータ読み取りが可能な記憶媒体への保存あるいはネットワークを介して配布された制御プログラムのコンピュータへのインストールであっても構わない。
【００６３】
以上、本発明のいくつかの実施形態を説明したが、これらの実施形態は、例として提示したものであり発明の範囲を限定することは意図していない。これら新規な実施形態は、その他の様々な形態で実施されることが可能であり、発明の要旨を逸脱しない範囲で種々の省略、置き換え、変更を行なうことができる。これら実施形態やその変形例は、発明の範囲や要旨に含まれるとともに、特許請求の範囲に記載された発明とその均等の範囲に含まれる。
【符号の説明】
【００６４】
１…無線通信回線
２…診断装置本体
２１…Ｘ線発生部
２１１…Ｘ線管
２１２…Ｘ線絞り器
２２…高電圧発生部
２２１…Ｘ線制御部
２２２…高電圧発生器
２３…画像情報受信部
２４…画像情報表示部
２５…天板
２６…移動機構部
２７…入力部
２８…システム制御部
３…ワイヤレスＸ線検出装置
３１…Ｘ線検出部
３２…画像データ生成部
３３…被検体情報入力部
３４…検査情報入力部
３５…データ合成部
３６…画像情報記憶部
３７…画像情報送信部
３８…付帯情報表示部
３９…制御部
１００…Ｘ線画像診断装置
【図１】
2014207942.tif 000003
【図２】
2014207942.tif 000004
【図３】
2014207942.tif 000005
【図４】
2014207942.tif 000006